(57)【要約】  この携帯電話は、上記したように、当該携帯電話を利用する利用者から入力された文字列「本文」と予め記憶するテンプレートとを結合した電子メールを送信するのに際して、利用者によって入力された文字列が挿入される文字挿入部を備えた複数のテンプレートを記憶し、記憶される複数のテンプレートから、文字列「本文」を挿入するテンプレートの選択を利用者から受け付け、受け付けられたテンプレートの文字挿入部に、利用者によって入力された文字列を挿入して、当該テンプレートと文字列とを結合させたＨＴＭＬメールを生成する。
2009001470.tif 000002
【特許請求の範囲】
【請求項１】
通信装置を利用する利用者から入力された文字列と予め記憶するテンプレートとを結合した電子メールを送信する通信装置であって、
前記利用者によって入力された文字列が挿入される文字挿入部を備えた複数のテンプレートを記憶するテンプレート記憶手段と、
前記テンプレート記憶手段により記憶される複数のテンプレートから、前記文字列を挿入するテンプレートの選択を利用者から受け付けるテンプレート選択手段と、
前記テンプレート選択手段により受け付けられたテンプレートの文字挿入部に、前記利用者によって入力された文字列を挿入して、当該テンプレートと文字列とを結合させた電子メールを生成するメール生成手段と、
を備えたことを特徴とする通信装置。
【請求項２】
前記テンプレート記憶手段は、前記利用者によって入力された文字列が挿入される文字挿入部を備えたＨＴＭＬ形式で生成される複数のテンプレートを記憶し、
前記メール生成手段は、前記テンプレート選択手段により受け付けられたテンプレートの文字挿入部に、前記利用者によって入力された文字列を挿入して、当該テンプレートと文字列とを結合させたＨＴＭＬメールを生成することを特徴とする請求項１に記載の通信装置。
【請求項３】
前記利用者によって入力された文字列の大きさ、色、形を装飾する文字列装飾手段をさらに備え、
前記メール生成手段は、前記テンプレート選択手段により受け付けられたテンプレートの文字挿入部に、前記文字列装飾手段により装飾された文字列を挿入して、当該テンプレートと文字列とを結合してＨＴＭＬメールを生成することを特徴とする請求項２に記載の通信装置。
【請求項４】
前記テンプレート記憶手段により記憶される複数のテンプレートのうち、前記利用者から入力された文字列から利用者の趣旨を判定する利用者趣旨判定手段をさらに備え、
前記テンプレート選択手段は、前記テンプレート記憶手段により記憶される複数のテンプレートのうち、前記利用者趣旨判定手段により判定された利用者の趣旨に一致する複数のテンプレートを利用者に提示し、提示された複数のテンプレートから文字列を挿入するテンプレートの選択を利用者から受け付けることを特徴とする請求項１または２に記載の通信装置。
【請求項５】
前記テンプレート記憶手段により記憶される複数のテンプレートのうち、前記利用者から入力された文字列を含まないテンプレートを選択する文字列重複選択手段をさらに備え、
前記テンプレート選択手段は、前記テンプレート記憶手段により記憶される複数のテンプレートのうち、前記文字列重複選択手段により選択されたテンプレートを利用者に提示し、提示された複数のテンプレートから文字列を挿入するテンプレートの選択を利用者から受け付けることを特徴とする請求項１または２に記載の通信装置。
【請求項６】
通信装置を利用する利用者から入力された文字列と予め記憶するテンプレートとを結合した電子メールを送信することに適したメール制御方法であって、
前記利用者によって入力された文字列が挿入される文字挿入部を備えた複数のテンプレートを記憶するテンプレート記憶手段と、
前記テンプレート記憶手段により記憶される複数のテンプレートから、前記文字列を挿入するテンプレートの選択を利用者から受け付けるテンプレート選択工程と、
前記テンプレート選択工程により受け付けられたテンプレートの文字挿入部に、前記利用者によって入力された文字列を挿入して、当該テンプレートと文字列とを結合させた電子メールを生成するメール生成工程と、
を含んだことを特徴とするメール制御方法。
【請求項７】
通信装置を利用する利用者から入力された文字列と予め記憶するテンプレートとを結合した電子メールを送信することをコンピュータに実行させるメール制御プログラムであって、
前記利用者によって入力された文字列が挿入される文字挿入部を備えた複数のテンプレートを記憶するテンプレート記憶手段と、
前記テンプレート記憶手段により記憶される複数のテンプレートから、前記文字列を挿入するテンプレートの選択を利用者から受け付けるテンプレート選択手順と、
前記テンプレート選択手順により受け付けられたテンプレートの文字挿入部に、前記利用者によって入力された文字列を挿入して、当該テンプレートと文字列とを結合させた電子メールを生成するメール生成手順と、
をコンピュータに実行させることを特徴とするメール制御プログラム。
【発明の詳細な説明】
【技術分野】
【０００１】
この発明は、通信装置を利用する利用者から入力された文字列と予め記憶するテンプレートとを結合した電子メールを送信する通信装置、メール制御方法およびメール制御プログラムに関する。
【背景技術】
【０００２】
従来より、携帯電話などのコンピュータ装置では、情報伝達手段として音声による通話に加え、電子メールが多く利用されている。そして、最近では、この電子メールに画像を添付したり、電子メールより様々な情報を伝達することができるＨＴＭＬ（HyperText  Markup  Language）メールなどが多く利用されるようになってきた。【０００３】
そこで、ＨＴＭＬメールを携帯電話で簡単に利用することができる様々な技術が開示されている。例えば、特許文献１（特開２００６−１３９３４０号公報）では、ＨＴＭＬメールのテンプレートを利用してＨＴＭＬメールの編集を行ったり、ＨＴＭＬメールのテンプレートに文字列を自動で結合させたりする技術が開示されている。【０００４】
【特許文献１】特開２００６−１３９３４０号公報
【発明の開示】
【発明が解決しようとする課題】
【０００５】
しかしながら、上記した従来の技術は、文字列とテンプレートとを結合した電子メールを再編集する場合に、手間がかかるという課題があった。【０００６】
具体的に例を挙げると、入力した文字列とＨＴＭＬメールのテンプレートとを結合した後に、文字列を変更する際、そのＨＴＭＬメールを直接編集する必要がある。そのため、複数のテンプレートが存在する場合に、文字入力を行った状態でテンプレートの選択を行うことができなかった。つまり、作成したＨＴＭＬメールを再編集する場合、結合された文字入力とテンプレートとを解除して、再度、文字入力とテンプレートの選択を行う必要があるので、手間がかかり利用者の負担が大きい。【０００７】
そこで、この発明は、上述した従来技術の課題を解決するためになされたものであり、文字列とテンプレートとを結合した電子メールを簡単に再編集することが可能である通信装置、メール制御方法およびメール制御プログラムを提供することを目的とする。
【課題を解決するための手段】
【０００８】
上述した課題を解決し、目的を達成するため、請求項１に係る発明は、通信装置を利用する利用者から入力された文字列と予め記憶するテンプレートとを結合した電子メールを送信する通信装置であって、前記利用者によって入力された文字列が挿入される文字挿入部を備えた複数のテンプレートを記憶するテンプレート記憶手段と、前記テンプレート記憶手段により記憶される複数のテンプレートから、前記文字列を挿入するテンプレートの選択を利用者から受け付けるテンプレート選択手段と、前記テンプレート選択手段により受け付けられたテンプレートの文字挿入部に、前記利用者によって入力された文字列を挿入して、当該テンプレートと文字列とを結合させた電子メールを生成するメール生成手段と、を備えたことを特徴とする。【０００９】
また、請求項２に係る発明は、上記の発明において、前記テンプレート記憶手段は、前記利用者によって入力された文字列が挿入される文字挿入部を備えたＨＴＭＬ形式で生成される複数のテンプレートを記憶し、前記メール生成手段は、前記テンプレート選択手段により受け付けられたテンプレートの文字挿入部に、前記利用者によって入力された文字列を挿入して、当該テンプレートと文字列とを結合させたＨＴＭＬメールを生成することを特徴とする。【００１０】
また、請求項３に係る発明は、上記の発明において、前記利用者によって入力された文字列の大きさ、色、形を装飾する文字列装飾手段をさらに備え、前記メール生成手段は、前記テンプレート選択手段により選択されたテンプレートの文字挿入部に、前記文字列装飾手段により装飾された文字列を挿入して、当該テンプレートと文字列とを結合してＨＴＭＬメールを生成することを特徴とする。【００１１】
また、請求項４に係る発明は、上記の発明において、前記テンプレート記憶手段により記憶される複数のテンプレートのうち、前記利用者から入力された文字列から利用者の趣旨を判定する利用者趣旨判定手段をさらに備え、前記テンプレート選択手段は、前記テンプレート記憶手段により記憶される複数のテンプレートのうち、前記利用者趣旨判定手段により判定された利用者の趣旨に一致する複数のテンプレートを利用者に提示し、提示された複数のテンプレートから文字列を挿入するテンプレートの選択を利用者から受け付けることを特徴とする。【００１２】
また、請求項５に係る発明は、上記の発明において、前記テンプレート記憶手段により記憶される複数のテンプレートのうち、前記利用者から入力された文字列を含まないテンプレートを選択する文字列重複選択手段をさらに備え、前記テンプレート選択手段は、前記テンプレート記憶手段により記憶される複数のテンプレートのうち、前記文字列重複選択手段により選択されたテンプレートを利用者に提示し、提示された複数のテンプレートから文字列を挿入するテンプレートの選択を利用者から受け付けることを特徴とする。【００１３】
また、請求項６に係る発明は、通信装置を利用する利用者から入力された文字列と予め記憶するテンプレートとを結合した電子メールを送信することに適したメール制御方法であって、前記利用者によって入力された文字列が挿入される文字挿入部を備えた複数のテンプレートを記憶するテンプレート記憶手段と、前記テンプレート記憶手段により記憶される複数のテンプレートから、前記文字列を挿入するテンプレートの選択を利用者から受け付けるテンプレート選択工程と、前記テンプレート選択工程により受け付けられたテンプレートの文字挿入部に、前記利用者によって入力された文字列を挿入して、当該テンプレートと文字列とを結合させた電子メールを生成するメール生成工程と、を含んだことを特徴とする。【００１４】
また、請求項７に係る発明は、通信装置を利用する利用者から入力された文字列と予め記憶するテンプレートとを結合した電子メールを送信することをコンピュータに実行させるメール制御プログラムであって、前記利用者によって入力された文字列が挿入される文字挿入部を備えた複数のテンプレートを記憶するテンプレート記憶手段と、前記テンプレート記憶手段により記憶される複数のテンプレートから、前記文字列を挿入するテンプレートの選択を利用者から受け付けるテンプレート選択手順と、前記テンプレート選択手順により受け付けられたテンプレートの文字挿入部に、前記利用者によって入力された文字列を挿入して、当該テンプレートと文字列とを結合させた電子メールを生成するメール生成手順と、をコンピュータに実行させることを特徴とする。
【発明の効果】
【００１５】
本発明によれば、利用者によって入力された文字列が挿入される文字挿入部を備えた複数のテンプレートを記憶し、記憶される複数のテンプレートから、文字列を挿入するテンプレートの選択を利用者から受け付け、受け付けられたテンプレートの文字挿入部に、利用者によって入力された文字列を挿入して、当該テンプレートと文字列とを結合させた電子メールを生成するので、文字列とテンプレートとを結合した電子メールを簡単に再編集することが可能である。【００１６】
例えば、「これらからもよろしく」という文字列と「誕生日おめでとう」というテンプレートとを結合した後に、「ＨａｐｐｙＢｉｒｔｈｄａｙ」のテンプレートに変更した場合でも、文字列「これからもよろしく」を変更したテンプレート「ＨａｐｐｙＢｉｒｔｈｄａｙ」に挿入して電子メールを作成することができる結果、一度、文字列と結合したＨＴＭＬメールを編集する場合に、作成した電子メールを直接編集する必要がなく、テンプレートのみを変更したり、文字列のみを変更したりすることで結合された電子メールを編集することができるので、文字列とテンプレートとを結合した電子メールを簡単に再編集することが可能であり、利用者の負担も軽減することが可能である。【００１７】
また、本発明によれば、利用者によって入力された文字列が挿入される文字挿入部を備えたＨＴＭＬ形式で生成される複数のテンプレートを記憶し、受け付けられたテンプレートの文字挿入部に、利用者によって入力された文字列を挿入して、当該テンプレートと文字列とを結合させたＨＴＭＬメールを生成するので、文字列とテンプレートとを結合したＨＴＭＬメールを簡単に再編集することが可能である。また、特別な手法を用いたメールではなく、ＨＴＭＬメールを用いることにより、送信先の通信装置の種別を意識する必要がない結果、利用者の負担を軽減することが可能である。【００１８】
また、本発明によれば、利用者によって入力された文字列の大きさ、色、形を装飾し、選択されたテンプレートの文字挿入部に、装飾された文字列を挿入して、当該テンプレートと文字列とを結合して電子メールを生成するので、文字列のフォントサイズ、色、フォントなどを利用者の嗜好に応じて装飾することが可能である。【００１９】
例えば、フォントサイズを大きくしたり、色をカラフルにしたり、フォントを使い分けたりと、利用者の趣味嗜好にあわせて文字列を装飾することができる結果、利用者の利便性が向上することが可能であるとともに、利用者の囲い込みにも役立てることが可能である。【００２０】
また、本発明によれば、記憶される複数のテンプレートのうち、利用者から入力された文字列から利用者の趣旨を判定し、記憶される複数のテンプレートのうち、判定された利用者の趣旨に一致する複数のテンプレートを利用者に提示し、提示された複数のテンプレートから文字列を挿入するテンプレートの選択を利用者から受け付けるので、利用者の利便性を向上させることが可能である。【００２１】
例えば、「お祝い」、「あいさつ」、「お誘い」などの様々なジャンルのテンプレートを記憶するため、利用者により「誕生日おめでとう」という文字列が入力された場合に、「誕生日おめでとう」からジャンルが「お祝い」であると推測して、「お祝い」に該当するテンプレートを利用者に提示することができる結果、利用者の利便性を向上させることが可能である。【００２２】
また、本発明によれば、記憶される複数のテンプレートのうち、利用者から入力された文字列を含まないテンプレートを選択し、記憶される複数のテンプレートのうち、選択されたテンプレートを利用者に提示し、提示された複数のテンプレートから文字列を挿入するテンプレートの選択を利用者から受け付けるので、利用者の利便性を向上させることが可能である。【００２３】
例えば、利用者により「誕生日おめでとう」という文字列が入力された場合に、文字列「誕生日おめでとう」が文字列としてまたは画像として含まれたテンプレートを利用者が利用することにより、文字列が重複することになる。そのため、このような入力された文字列と重複するテンプレート以外を利用者に提示することにより、利用者の利便性が向上することが可能であるとともに、利用者の囲い込みにも役立てることが可能である。
【図面の簡単な説明】
【００２４】
【図１】図１は、実施例１に係る携帯電話の概要と特徴を説明するための図である。
【図２】図２は、実施例１に係る携帯電話の構成を示すブロック図である。
【図３】図３は、テンプレートと文字列との結合処理を説明するための画面表示例を示す図である。
【図４】図４は、実施例１に係る携帯電話におけるＨＴＭＬメール送信処理の流れを示すフローチャートである。
【図５】図５は、ＨＴＭＬメール送信プログラムを実行するコンピュータシステムの例を示す図である。
【符号の説明】
【００２５】
１０  携帯電話
１１  通信制御Ｉ／Ｆ部
１２  入力受付部
１３  出力部
２０  記憶部
２１  電話帳ＤＢ
２２  メールＤＢ
２３  テンプレートＤＢ
３０  制御部
３１  通話処理部
３２  テンプレート選択受付部
３３  ブラウザ処理部
３４  ＨＴＭＬメール処理部
３５  メール送信部
１００  コンピュータシステム
１０１  ＲＡＭ
１０２  ＨＤＤ
１０２ａ  電話帳テーブル
１０２ｂ  メールテーブル
１０２ｃ  テンプレートテーブル
１０３  ＲＯＭ
１０３ａ  通話処理プログラム
１０３ｂ  テンプレート選択受付プログラム
１０３ｃ  ブラウザ処理プログラム
１０３ｄ  ＨＴＭＬメール処理プログラム
１０３ｅ  メール送信プログラム
１０４  ＣＰＵ
１０４ａ  通話処理プロセス
１０４ｂ  テンプレート選択受付プロセス
１０４ｃ  ブラウザ処理プロセス
１０４ｄ  ＨＴＭＬメール処理プロセス
１０４ｅ  メール送信プロセス
【発明を実施するための最良の形態】
【００２６】
以下に添付図面を参照して、この発明に係る通信装置、メール制御方法およびメール制御プログラムの実施例を詳細に説明する。なお、以下では、本実施例に係る通信装置（携帯電話）の概要および特徴、携帯電話の構成および処理の流れを順に説明し、最後に本実施例に対する種々の変形例を説明する。
【実施例１】
【００２７】
［携帯電話の概要および特徴］
まず最初に、図１を用いて、実施例１に係る携帯電話の概要および特徴を説明する。図１は、実施例１に係る携帯電話の概要と特徴を説明するための図である。この携帯電話（請求の範囲に記載の「通信装置」に対応する）は、音声通信やメール通信などを行うことのできるコンピュータ装置のことであり、具体的には、パーソナルコンピュータやワークステーション、家庭用ゲーム機、インターネットＴＶ、ＰＤＡ、あるいはＰＨＳの如き移動体通信端末などがこれに該当する。また、携帯電話は、インターネットに接続するインターネットブラウザや電子メールの送受信を行うこともできる。【００２８】
このような構成において、この携帯電話は、上記したように、当該携帯電話を利用する利用者から入力された文字列と予め記憶するテンプレートとを結合した電子メールを送信することを概要とするものであり、特に、文字列とテンプレートとを結合した電子メールを簡単に再編集することが可能である点に主たる特徴がある。【００２９】
この主たる特徴を具体的に説明すると、この携帯電話は、利用者によって入力された文字列が挿入される文字挿入部を備えた複数のテンプレートを記憶する。具体的には、携帯電話は、利用者によってメールの「本文」に入力された文字列「今日も一日頑張りましょう」や「明日１８：００でどうですか？」などを挿入する文字列挿入部を備えた、「挨拶」、「お祝い」、「お誘い」など様々なジャンルのカテゴリを網羅したテンプレートを記憶している。また、ここで記憶されるテンプレートとは、文字列と画像などから構成される予め作成されたＨＴＭＬ形式の画像データである。【００３０】
そして、携帯電話は、記憶される複数のテンプレートから、文字列を挿入するテンプレートの選択を利用者から受け付ける（図１の（１）と（２）参照）。具体的に例を挙げると、携帯電話は、利用者からメール作成指示を受け付けると、図１の（１）に示すような「宛先」、「題名」、「本文」、「装飾（設定なし＝テンプレート未選択）」から構成されるメール作成画面を出力して、利用者から通常のメール作成を受け付ける。続いて、携帯電話は、図１の（１）に示す画面から「装飾」が利用者によって選択されると、記憶されるテンプレートを読み出して、図１の（２）に示す「テンプレート一覧」を表示出力し、利用者からテンプレートの選択を受け付ける。なお、ここでは、携帯電話は、「宛先＝taro@abc.jp」、「題名＝こんにちは」、「本文＝お久しぶりです。元気ですか？」が利用者より入力されているとする。なお、テンプレートが選択されると、「装飾」は「設定なし」から「設定あり」に変更される。【００３１】
続いて、携帯電話は、利用者により選択されたテンプレートの文字挿入部に、利用者によって入力された文字列を挿入して、当該テンプレートと文字列とを結合させた電子メールを生成する（図１の（３）参照）。上記した例で具体的に説明すると、携帯電話は、図１の（２）に示した「テンプレート一覧」から「誕生日」が選択されると、図１の（１）で入力された「本文＝お久しぶりです。元気ですか？」をテンプレート「誕生日」の文字入力部に挿入して、本文とテンプレートを結合し、図１の（３）に示すＨＴＭＬメールを生成する。【００３２】
その後、携帯電話は、結合して生成したＨＴＭＬメールの編集指示が利用者によって入力されると（図１の（４）参照）、「テンプレート一覧」を再度表示出力する（図１の（５）参照）。そして、携帯電話は、再度表示出力した「テンプレート一覧」から「ＨａｐｐｙＢｉｒｔｈｄａｙ」が利用者によって選択されると、「本文＝お久しぶりです。元気ですか？」をテンプレート「ＨａｐｐｙＢｉｒｔｈｄａｙ」の文字入力部に挿入して、本文とテンプレートを結合し、図１の（６）に示すＨＴＭＬメールを生成する。その後、携帯電話は、利用者によってメール送信指示が入力されると、作成したＨＴＭＬメールを宛先に送信する（図１の（７）参照）。なお、携帯電話は、本文の内容が編集される場合には、テンプレートを意識することなく、本文の修正を受け付けて、編集された本文をテンプレートの文字列挿入部に挿入する。【００３３】
このように、実施例１に係る携帯電話は、一度、文字列と結合したＨＴＭＬメールを編集する場合に、作成したＨＴＭＬメールを直接編集する必要がなく、テンプレートのみを変更したり、文字列のみを変更したりすることでＨＴＭＬメールを編集することができる結果、上記した主たる特徴のごとく、文字列とテンプレートとを結合した電子メールを簡単に再編集することが可能である。【００３４】
［携帯電話の構成］
次に、図２と図３とを用いて、図１に示した携帯電話の構成を説明する。図２は、実施例１に係る携帯電話の構成を示すブロック図であり、図３は、テンプレートと文字列との結合処理を説明するための画面表示例を示す図である。図２に示すように、この携帯電話１０は、通信制御Ｉ／Ｆ部１１と、入力受付部１２と、出力部１３と、記憶部２０と、制御部３０とから構成される。【００３５】
通信制御Ｉ／Ｆ部１１は、他の携帯電話との間やインターネットなどでやり取りされる各種情報に関する通信を制御する。具体的に例を挙げれば、通信制御Ｉ／Ｆ部１１は、他の携帯電話やＩＰ電話などとの間における音声通信に関する各種情報を制御したり、後述する制御部３０によって接続されるインターネット通信やメール通信に関する各種情報を制御したりする。【００３６】
入力受付部１２は、テンキーやマイクなどを備えて構成され、各種の情報の入力を受付ける。例えば、入力受付部１２は、携帯電話１０の所有者からメール作成指示やメール送信指示、通話指示などを受け付ける。そして、入力受付部１２は、所有者から各種操作指示を受け付けると、受け付けた操作指示を各種制御部に通知する。【００３７】
出力部１３は、モニタ（若しくはディスプレイ、タッチパネル）やスピーカを備えて構成され、各種の情報を出力する。例えば、出力部１３は、メール作成画面、テンプレート選択画面を所有者に対してを表示出力する。【００３８】
記憶部２０は、制御部３０による各種処理に必要なデータおよびプログラムを格納するとともに、特に本発明に密接に関連するものとしては、電話帳ＤＢ２１と、メールＤＢ２２と、テンプレートＤＢ２３とを備える。【００３９】
電話帳ＤＢ２１は、通話接続先を示す電話番号やメールの送受信を行うメールアドレスを記憶する。具体的に例を挙げれば、電話帳ＤＢ２１は、『接続先の相手を示す「氏名」、通話処理を行う相手の「電話番号」、メールの送受信先を示す「メールアドレス」』として「特許太郎、０３−ＸＸＸ−ＸＸＸＸ、tokkyo＠a.com」などと記憶する。なお、ここで示した各種のデータやパラメータを含む情報については、特記する場合を除いて任意に変更することができる。【００４０】
メールＤＢ２２は、送受信した電子メールを送受信した日付・送受信先に対応付けて記憶する。具体的に例を挙げれば、メールＤＢ２２は、受信したメールを保存する「受信メール」、送信したメールを保存する「送信済みメール」、破棄したメールを保存する「ゴミ箱」など、受信・送信・削除などに区分けして電子メールを記憶する。なお、ここで示した各種のデータやパラメータを含む情報については、特記する場合を除いて任意に変更することができる。【００４１】
テンプレートＤＢ２３は、利用者によって入力された文字列が挿入される文字挿入部を備えた複数のテンプレートを記憶する。具体的に例を挙げれば、テンプレートＤＢ２３は、利用者によってメールの「本文」に入力された文字列「今日も一日頑張りましょう」や「明日１８：００でどうですか？」などを挿入する文字列挿入部を備えた、「挨拶」、「お祝い」、「お誘い」など様々なジャンルのカテゴリを網羅したテンプレートを記憶している。なお、ここで記憶されるテンプレートとは、文字列と画像などから構成される予め作成されたＨＴＭＬ形式の画像データである。【００４２】
制御部３０は、ＯＳ（Operating  System）などの制御プログラム、各種の処理手順などを規定したプログラムおよび所要データを格納するための内部メモリを有するとともに、特に本発明に密接に関連するものとしては、通話処理部３１と、テンプレート選択受付部３２と、ブラウザ処理部３３と、ＨＴＭＬメール処理部３４と、メール送信部３５とを備え、これらによって種々の処理を実行する。【００４３】
通話処理部３１は、他の電話装置との間における音声通信（通話処理）の接続制御を行う。具体的に例を挙げれば、通話処理部３１は、電話帳ＤＢ２１に記憶される電話番号を用いて、当該電話番号に対応する携帯電話やＩＰ電話などの電話装置に対して発信処理を行ったり、他の電話装置から着信処理を行ったりする。【００４４】
テンプレート選択受付部３２は、テンプレートＤＢ２３により記憶される複数のテンプレートから、文字列を挿入するテンプレートの選択を入力受付部１２を介して利用者から受け付ける。具体的に例を挙げれば、テンプレート選択受付部３２は、利用者からメール作成指示が入力受付部１２により受け付けられると、図３の（１）に示すような「宛先」、「題名」、「本文」、「装飾」から構成されるメール作成画面を出力部１３に表示出力する。そして、テンプレート選択受付部３２は、図３の（２）に示す画面のように、「宛先」、「題名」、「本文」、「装飾」が利用者によって入力されて、「装飾」が利用者によってクリックされると、テンプレートＤＢ２３から記憶されるテンプレートを読み出して、図３の（３）に示す「テンプレート一覧」を出力部１３に表示出力し、利用者からテンプレートの選択を入力受付部１２を介して受け付ける。その後、テンプレート選択受付部３２は、結合して生成したＨＴＭＬメールの編集指示が利用者によって入力受付部１２に入力されると、「テンプレート一覧」を再度表示出力する。なお、テンプレート選択受付部３２は、請求の範囲に記載の「テンプレート選択手段」に対応する。【００４５】
ブラウザ処理部３３は、インターネットに接続するブラウザの各種制御を行う。具体的に例を挙げれば、ブラウザ処理部３３は、所有者から入力されたインターネット接続操作指示が入力受付部１２によって受け付けられると、インターネット接続ブラウザを起動してインターネットに接続し、各種情報のダウンロードなどを行う。【００４６】
ＨＴＭＬメール処理部３４は、テンプレート選択受付部３２により選択されたテンプレートの文字挿入部に、利用者によって入力された文字列を挿入して、当該テンプレートと文字列とを結合させたＨＴＭＬメールを生成する。上記した例で具体的に説明すると、ＨＴＭＬメール処理部３４は、図３の（３）に示した「テンプレート一覧」から「誕生日」が選択されると、図３の（２）で入力された「本文＝お久しぶりです。元気ですか？」をテンプレート「誕生日」の文字入力部に挿入して、本文とテンプレートを結合し、図３の（４）に示すＨＴＭＬメールを生成する。【００４７】
その後、テンプレート選択受付部３２は、結合して生成したＨＴＭＬメールの編集指示が入力受付部１２を介して利用者から入力されると、「テンプレート一覧」を出力部１３に再度表示出力する。そして、ＨＴＭＬメール処理部３４は、再度表示出力した「テンプレート一覧」から「ＨａｐｐｙＢｉｒｔｈｄａｙ」が利用者によって選択されると、「本文＝お久しぶりです。元気ですか？」をテンプレート「ＨａｐｐｙＢｉｒｔｈｄａｙ」の文字入力部に挿入して、本文とテンプレートを結合し、図１の（５）に示すＨＴＭＬメールを生成する。なお、ＨＴＭＬメール処理部３４は、請求の範囲に記載の「メール生成手段」に対応する。【００４８】
メール送信部３５は、宛先に通常のメールやＨＴＭＬメールを送信する。上記した例で具体的に説明すると、ＨＴＭＬメール処理部３４によってＨＴＭＬメールが生成されると、メール送信部３５は、図３の（６）に示すように、生成されたＨＴＭＬメールを表示する。そして、メール送信部３５は、図３の（６）の画面から利用者によって「送信する」がクリックされると、表示している生成されたＨＴＭＬメールを宛先に送信する。【００４９】
［携帯電話による処理］
次に、図４を用いて、携帯電話による処理を説明する。図４は、実施例１に係る携帯電話におけるＨＴＭＬメール送信処理の流れを示すフローチャートである。【００５０】
図４に示すように、メール作成指示が入力受付部１２によって受け付けられてメール作成処理が起動されると（ステップＳ４０１肯定）、テンプレート選択受付部３２は、「宛先」、「題名」、「本文」、「装飾」から構成されるメール作成画面を出力部１３に表示出力して、「宛先」、「題名」、「本文」の入力を利用者から受け付ける（ステップＳ４０２）。【００５１】
続いて、出力部１３に表示出力されるメール作成画面から「装飾」が利用者によってクリックされると（ステップＳ４０３肯定）、テンプレート選択受付部３２は、テンプレートＤＢ２３に記憶されるテンプレートの一覧を出力部１３に表示出力する（ステップＳ４０４）。【００５２】
そして、テンプレート選択受付部３２は、出力部１３に表示出力されたテンプレート一覧から任意のテンプレートの選択を入力受付部１２を介して受け付けて（ステップＳ４０５）、ＨＴＭＬメール処理部３４は、選択されたテンプレートと「本文」のテキスト文字列とを結合し（ステップＳ４０６）、結合したＨＴＭＬメールを出力部１３に表示出力する（ステップＳ４０７）。【００５３】
その後、さらに「装飾」が利用者によってクリックされた場合（ステップＳ４０８肯定）、テンプレート選択受付部３２は、テンプレートＤＢ２３に記憶されるテンプレートの一覧を出力部１３に再度表示出力し、先ほど選択されたテンプレートとは別のテンプレートの選択を入力受付部１２を介して受け付けて（ステップＳ４１２）、ステップＳ４０６以降の処理を実行する。【００５４】
一方、さらに「装飾」が利用者によってクリックされなかった場合（ステップＳ４０８否定）、ＨＴＭＬメール処理部３４は、テンプレートを確定して、「装飾」を「設定なし」から「設定あり」に変更する（ステップＳ４０９）。【００５５】
その後、「送信ボタン」が利用者によってクリックされると（ステップＳ４１０肯定）、メール送信部３５は、作成されたＨＴＭＬメールを宛先に送信する（ステップＳ４１１）。【００５６】
［実施例１による効果］
このように、実施例１によれば、利用者によって入力された文字列「本文」が挿入される文字挿入部を備えた複数のテンプレートを記憶し、テンプレートＤＢ２３により記憶される複数のテンプレートから、「本文」を挿入するテンプレートの選択を利用者から受け付け、選択されたテンプレートの文字挿入部に、利用者によって入力された「本文」を挿入して、当該テンプレートと「本文」とを結合させた電子メールを生成するので、「本文」とテンプレートとを結合した電子メールを簡単に再編集することが可能である。【００５７】
例えば、「これらからもよろしく」という文字列と「誕生日おめでとう」というテンプレートとを結合した後に、「ＨａｐｐｙＢｉｒｔｈｄａｙ」のテンプレートに変更した場合でも、文字列「これからもよろしく」を変更したテンプレート「ＨａｐｐｙＢｉｒｔｈｄａｙ」に挿入して電子メールを作成することができる結果、一度、文字列と結合したＨＴＭＬメールを編集する場合に、作成した電子メールを直接編集する必要がなく、テンプレートのみを変更したり、文字列のみを変更したりすることで結合された電子メールを編集することができるので、文字列とテンプレートとを結合した電子メールを簡単に再編集することが可能であり、利用者の負担も軽減することが可能である。【００５８】
また、実施例１によれば、利用者によって入力された「本文」が挿入される文字挿入部を備えたＨＴＭＬ形式で生成される複数のテンプレートを記憶し、選択されたテンプレートの文字挿入部に、利用者によって入力された「本文」を挿入して、当該テンプレートと文字列とを結合させたＨＴＭＬメールを生成するので、「本文」とテンプレートとを結合したＨＴＭＬメールを簡単に再編集することが可能である。また、特別な手法を用いたメールではなく、ＨＴＭＬメールを用いることにより、送信先の通信装置の種別を意識する必要がない結果、利用者の負担を軽減することが可能である。
【実施例２】
【００５９】
さて、これまで本発明の実施例について説明したが、本発明は上述した実施例以外にも、種々の異なる形態にて実施されてよいものである。そこで、以下に示すように、（１）メール形式、（２）送信先、（３）文字列の装飾、（４）テンプレートの表示、（５）システム構成等、（６）プログラムにそれぞれ区分けして異なる実施例を説明する。【００６０】
（１）メール形式
例えば、実施例１では、結合して生成されるメールの形式がＨＴＭＬであった場合の例について説明したが、本発明はこれに限定されるものではなく、例えば、ＸＭＬ（eXtensible  Markup  Language）やＸＨＴＭＬ（eXtensible  HyperText  Markup  Language）などのマークアップ言語など、様々な形式を生成することができる。【００６１】
（２）送信先
また、実施例１では、送信先「宛先」が一つである場合について図示して説明したが、本発明はこれに限定されるものではなく、「宛先」が複数であってもよく、また、ＣＣやＢＣＣなど通常のメールに利用される「宛先」に対して作成したＨＴＭＬメールを一斉に送信することができる。【００６２】
（３）文字列の装飾
また、実施例１では、「本文」に入力された文字列（テキスト）を選択されたテンプレートに挿入して結合する場合について説明したが、本発明はこれに限定されるものではなく、「本文」に入力された文字列（テキスト）の大きさ、色、形を装飾して、選択されたテンプレートに挿入して結合してもよい。例えば、フォントサイズを大きくしたり、色をカラフルにしたり、フォントを使い分けたりと、利用者の趣味嗜好にあわせて文字列を装飾することができる結果、利用者の利便性が向上することが可能であるとともに、利用者の囲い込みにも役立てることが可能である。【００６３】
（４）テンプレートの表示
また、実施例１では、テンプレートＤＢ２３に記憶されるテンプレート全てを表示出力して利用者からの選択を受け付ける場合について説明したが、本発明はこれに限定されるものではなく、例えば、「本文」に入力された文字列から利用者の趣旨を判定し、判定された利用者の趣旨に一致する複数のテンプレートのみを利用者に提示（表示出力）したり、「本文」に入力された文字列を含まないテンプレートをのみを利用者に提示したりすることもできる。【００６４】
このようにすることで、例えば、「お祝い」、「あいさつ」、「お誘い」などの様々なジャンルのテンプレートを記憶するため、利用者により「誕生日おめでとう」という文字列が入力された場合に、「誕生日おめでとう」からジャンルが「お祝い」であると推測して、「お祝い」に該当するテンプレートを利用者に提示することができる結果、利用者の利便性を向上させることが可能である。また、例えば、利用者により「誕生日おめでとう」という文字列が入力された場合に、文字列「誕生日おめでとう」が文字列としてまたは画像として含まれたテンプレートを利用者が利用すること、文字列が重複することになる。そのため、このような入力された文字列と重複するテンプレート以外を利用者に提示することにより、利用者の利便性が向上することが可能であるとともに、利用者の囲い込みにも役立てることが可能である。【００６５】
（５）システム構成等
また、本実施例において説明した各処理のうち、手動的におこなわれるものとして説明した処理（例えば、「本文」の入力受付など）の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。【００６６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合（例えば、テンプレート選択受付部３２とＨＴＭＬメール処理部３４とを統合するなど）して構成することができる。【００６７】
（６）プログラム
ところで、上記の実施例で説明した各種の処理は、あらかじめ用意されたプログラムをパーソナルコンピュータやワークステーションなどのコンピュータシステムで実行することによって実現することができる。そこで、以下では、上記の実施例と同様の機能を有するプログラムを実行するコンピュータシステムを他の実施例として説明する。【００６８】
図５は、ＨＴＭＬメール送信プログラムを実行するコンピュータシステムの例を示す図である。図５に示すように、コンピュータシステム１００は、ＲＡＭ１０１と、ＨＤＤ１０２と、ＲＯＭ１０３と、ＣＰＵ１０４とから構成される。ここで、ＲＯＭ１０３には、上記の実施例と同様の機能を発揮するプログラム、つまり、図５に示すように、通話処理プログラム１０３ａと、テンプレート選択受付プログラム１０３ｂと、ブラウザ処理プログラム１０３ｃと、ＨＴＭＬメール処理プログラム１０３ｄ、メール送信プログラム１０３ｅとがあらかじめ記憶されている。【００６９】
そして、ＣＰＵ１０４には、これらのプログラム１０３ａ〜１０３ｅを読み出して実行することで、図５に示すように、通話処理プロセス１０４ａと、テンプレート選択受付プロセス１０４ｂと、ブラウザ処理プロセス１０４ｃと、ＨＴＭＬメール処理プロセス１０４ｄ、メール送信プロセス１０４ｅとなる。なお、通話処理プロセス１０４ａは、図２に示した、通話処理部３１に対応し、同様に、テンプレート選択受付プロセス１０４ｂは、テンプレート選択受付部３２に対応し、ブラウザ処理プロセス１０４ｃは、ブラウザ処理部３３に対応し、ＨＴＭＬメール処理プロセス１０４ｄは、ＨＴＭＬメール処理部３４に対応し、メール送信プロセス１０４ｅは、メール送信部３５に対応する。【００７０】
また、ＨＤＤ１０２には、通話接続先を示す電話番号やメールの送受信を行うメールアドレスを記憶する電話帳テーブル１０２ａと、送受信した電子メールを送受信した日付・送受信先に対応付けて記憶するメールテーブル１０２ｂと、利用者によって入力された文字列が挿入される文字挿入部を備えた複数のテンプレートを記憶するテンプレートテーブル１０２ｃとが設けられる。なお、電話帳テーブル１０２ａは、図２に示した、電話帳ＤＢ２１に対応し、メールテーブル１０２ｂは、メールＤＢ２２に対応し、テンプレートテーブル１０２ｃは、テンプレートＤＢ２３に対応する。【００７１】
ところで、上記したプログラム１０３ａ〜１０３ｅは、必ずしもＲＯＭ１０３に記憶させておく必要はなく、例えば、コンピュータシステム１００に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）などの「固定用の物理媒体」、さらに、公衆回線、インターネット、ＬＡＮ、ＷＡＮなどを介してコンピュータシステム１００に接続される「他のコンピュータシステム」に記憶させておき、コンピュータシステム１００がこれらからプログラムを読み出して実行するようにしてもよい。
【産業上の利用可能性】
【００７２】
以上のように、本発明に係る通信装置、メール制御方法およびメール制御プログラムは、通信装置を利用する利用者から入力された文字列と予め記憶するテンプレートとを結合した電子メールを送信することに有用であり、特に、文字列とテンプレートとを結合した電子メールを簡単に再編集することに適する。
【図１】
2009001470.tif 000003
【図２】
2009001470.tif 000004
【図３】
2009001470.tif 000005
【図４】
2009001470.tif 000006
【図５】
2009001470.tif 000007
【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
通信装置を利用する利用者から入力された文字列と予め記憶するテンプレートとを結合した電子メールを送信する通信装置であって、
前記利用者によって入力された文字列が挿入される文字挿入部を備えた複数のテンプレートを記憶するテンプレート記憶手段と、
前記テンプレート記憶手段により記憶される複数のテンプレートから、前記文字列を挿入するテンプレートの選択を利用者から受け付けるテンプレート選択手段と、
前記テンプレート選択手段により受け付けられたテンプレートの文字挿入部に、前記利用者によって入力された文字列を挿入して、当該テンプレートと文字列とを結合させた電子メールを生成するメール生成手段と、
を備えたことを特徴とする通信装置。
【請求項２】
前記テンプレート記憶手段は、前記利用者によって入力された文字列が挿入される文字挿入部を備えたＨＴＭＬ形式で生成される複数のテンプレートを記憶し、
前記メール生成手段は、前記テンプレート選択手段により受け付けられたテンプレートの文字挿入部に、前記利用者によって入力された文字列を挿入して、当該テンプレートと文字列とを結合させたＨＴＭＬメールを生成することを特徴とする請求項１に記載の通信装置。
【請求項３】
前記利用者によって入力された文字列の大きさ、色、形を装飾する文字列装飾手段をさらに備え、
前記メール生成手段は、前記テンプレート選択手段により受け付けられたテンプレートの文字挿入部に、前記文字列装飾手段により装飾された文字列を挿入して、当該テンプレートと文字列とを結合してＨＴＭＬメールを生成することを特徴とする請求項２に記載の通信装置。
【請求項４】
前記テンプレート記憶手段により記憶される複数のテンプレートのうち、前記利用者から入力された文字列から利用者の趣旨を判定する利用者趣旨判定手段をさらに備え、
前記テンプレート選択手段は、前記テンプレート記憶手段により記憶される複数のテンプレートのうち、前記利用者趣旨判定手段により判定された利用者の趣旨に一致する複数のテンプレートを利用者に提示し、提示された複数のテンプレートから文字列を挿入するテンプレートの選択を利用者から受け付けることを特徴とする請求項１または２に記載の通信装置。
【請求項５】
前記テンプレート記憶手段により記憶される複数のテンプレートのうち、前記利用者から入力された文字列を含まないテンプレートを選択する文字列重複選択手段をさらに備え、
前記テンプレート選択手段は、前記テンプレート記憶手段により記憶される複数のテンプレートのうち、前記文字列重複選択手段により選択されたテンプレートを利用者に提示し、提示された複数のテンプレートから文字列を挿入するテンプレートの選択を利用者から受け付けることを特徴とする請求項１または２に記載の通信装置。
【手続補正２】
【補正対象書類名】明細書
【補正対象項目名】全文
【補正方法】変更
【補正の内容】
【発明の詳細な説明】
【技術分野】
【０００１】
この発明は、通信装置を利用する利用者から入力された文字列と予め記憶するテンプレートとを結合した電子メールを送信する通信装置に関する。
【背景技術】
【０００２】
従来より、携帯電話などのコンピュータ装置では、情報伝達手段として音声による通話に加え、電子メールが多く利用されている。そして、最近では、この電子メールに画像を添付したり、電子メールより様々な情報を伝達することができるＨＴＭＬ（HyperText  Markup  Language）メールなどが多く利用されるようになってきた。
【０００３】
そこで、ＨＴＭＬメールを携帯電話で簡単に利用することができる様々な技術が開示されている。例えば、特許文献１（特開２００６−１３９３４０号公報）では、ＨＴＭＬメールのテンプレートを利用してＨＴＭＬメールの編集を行ったり、ＨＴＭＬメールのテンプレートに文字列を自動で結合させたりする技術が開示されている。
【０００４】
【特許文献１】特開２００６−１３９３４０号公報
【発明の開示】
【発明が解決しようとする課題】
【０００５】
しかしながら、上記した従来の技術は、文字列とテンプレートとを結合した電子メールを再編集する場合に、手間がかかるという課題があった。
【０００６】
具体的に例を挙げると、入力した文字列とＨＴＭＬメールのテンプレートとを結合した後に、文字列を変更する際、そのＨＴＭＬメールを直接編集する必要がある。そのため、複数のテンプレートが存在する場合に、文字入力を行った状態でテンプレートの選択を行うことができなかった。つまり、作成したＨＴＭＬメールを再編集する場合、結合された文字入力とテンプレートとを解除して、再度、文字入力とテンプレートの選択を行う必要があるので、手間がかかり利用者の負担が大きい。
【０００７】
そこで、この発明は、上述した従来技術の課題を解決するためになされたものであり、文字列とテンプレートとを結合した電子メールを簡単に再編集することが可能である通信装置を提供することを目的とする。
【課題を解決するための手段】
【０００８】
上述した課題を解決し、目的を達成するため、本発明は、通信装置を利用する利用者から入力された文字列と予め記憶するテンプレートとを結合した電子メールを送信する通信装置であって、前記利用者によって入力された文字列が挿入される文字挿入部を備えた複数のテンプレートを記憶するテンプレート記憶手段と、前記テンプレート記憶手段により記憶される複数のテンプレートから、前記文字列を挿入するテンプレートの選択を利用者から受け付けるテンプレート選択手段と、前記テンプレート選択手段により受け付けられたテンプレートの文字挿入部に、前記利用者によって入力された文字列を挿入して、当該テンプレートと文字列とを結合させた電子メールを生成するメール生成手段と、を備えたことを特徴とする。
【０００９】
また、本発明は、上記の発明において、前記テンプレート記憶手段は、前記利用者によって入力された文字列が挿入される文字挿入部を備えたＨＴＭＬ形式で生成される複数のテンプレートを記憶し、前記メール生成手段は、前記テンプレート選択手段により受け付けられたテンプレートの文字挿入部に、前記利用者によって入力された文字列を挿入して、当該テンプレートと文字列とを結合させたＨＴＭＬメールを生成することを特徴とする。
【００１０】
また、本発明は、上記の発明において、前記利用者によって入力された文字列の大きさ、色、形を装飾する文字列装飾手段をさらに備え、前記メール生成手段は、前記テンプレート選択手段により選択されたテンプレートの文字挿入部に、前記文字列装飾手段により装飾された文字列を挿入して、当該テンプレートと文字列とを結合してＨＴＭＬメールを生成することを特徴とする。
【００１１】
また、本発明は、上記の発明において、前記テンプレート記憶手段により記憶される複数のテンプレートのうち、前記利用者から入力された文字列から利用者の趣旨を判定する利用者趣旨判定手段をさらに備え、前記テンプレート選択手段は、前記テンプレート記憶手段により記憶される複数のテンプレートのうち、前記利用者趣旨判定手段により判定された利用者の趣旨に一致する複数のテンプレートを利用者に提示し、提示された複数のテンプレートから文字列を挿入するテンプレートの選択を利用者から受け付けることを特徴とする。
【００１２】
また、本発明は、上記の発明において、前記テンプレート記憶手段により記憶される複数のテンプレートのうち、前記利用者から入力された文字列を含まないテンプレートを選択する文字列重複選択手段をさらに備え、前記テンプレート選択手段は、前記テンプレート記憶手段により記憶される複数のテンプレートのうち、前記文字列重複選択手段により選択されたテンプレートを利用者に提示し、提示された複数のテンプレートから文字列を挿入するテンプレートの選択を利用者から受け付けることを特徴とする。
【００１３】
また、本発明は、通信装置を利用する利用者から入力された文字列と予め記憶するテンプレートとを結合した電子メールを送信することに適したメール制御方法であって、前記利用者によって入力された文字列が挿入される文字挿入部を備えた複数のテンプレートを記憶するテンプレート記憶手段と、前記テンプレート記憶手段により記憶される複数のテンプレートから、前記文字列を挿入するテンプレートの選択を利用者から受け付けるテンプレート選択工程と、前記テンプレート選択工程により受け付けられたテンプレートの文字挿入部に、前記利用者によって入力された文字列を挿入して、当該テンプレートと文字列とを結合させた電子メールを生成するメール生成工程と、を含んだことを特徴とする。
【００１４】
また、本発明は、通信装置を利用する利用者から入力された文字列と予め記憶するテンプレートとを結合した電子メールを送信することをコンピュータに実行させるメール制御プログラムであって、前記利用者によって入力された文字列が挿入される文字挿入部を備えた複数のテンプレートを記憶するテンプレート記憶手段と、前記テンプレート記憶手段により記憶される複数のテンプレートから、前記文字列を挿入するテンプレートの選択を利用者から受け付けるテンプレート選択手順と、前記テンプレート選択手順により受け付けられたテンプレートの文字挿入部に、前記利用者によって入力された文字列を挿入して、当該テンプレートと文字列とを結合させた電子メールを生成するメール生成手順と、をコンピュータに実行させることを特徴とする。
【発明の効果】
【００１５】
本発明によれば、利用者によって入力された文字列が挿入される文字挿入部を備えた複数のテンプレートを記憶し、記憶される複数のテンプレートから、文字列を挿入するテンプレートの選択を利用者から受け付け、受け付けられたテンプレートの文字挿入部に、利用者によって入力された文字列を挿入して、当該テンプレートと文字列とを結合させた電子メールを生成するので、文字列とテンプレートとを結合した電子メールを簡単に再編集することが可能である。
【００１６】
例えば、「これらからもよろしく」という文字列と「誕生日おめでとう」というテンプレートとを結合した後に、「ＨａｐｐｙＢｉｒｔｈｄａｙ」のテンプレートに変更した場合でも、文字列「これからもよろしく」を変更したテンプレート「ＨａｐｐｙＢｉｒｔｈｄａｙ」に挿入して電子メールを作成することができる結果、一度、文字列と結合したＨＴＭＬメールを編集する場合に、作成した電子メールを直接編集する必要がなく、テンプレートのみを変更したり、文字列のみを変更したりすることで結合された電子メールを編集することができるので、文字列とテンプレートとを結合した電子メールを簡単に再編集することが可能であり、利用者の負担も軽減することが可能である。
【００１７】
また、本発明によれば、利用者によって入力された文字列が挿入される文字挿入部を備えたＨＴＭＬ形式で生成される複数のテンプレートを記憶し、受け付けられたテンプレートの文字挿入部に、利用者によって入力された文字列を挿入して、当該テンプレートと文字列とを結合させたＨＴＭＬメールを生成するので、文字列とテンプレートとを結合したＨＴＭＬメールを簡単に再編集することが可能である。また、特別な手法を用いたメールではなく、ＨＴＭＬメールを用いることにより、送信先の通信装置の種別を意識する必要がない結果、利用者の負担を軽減することが可能である。
【００１８】
また、本発明によれば、利用者によって入力された文字列の大きさ、色、形を装飾し、選択されたテンプレートの文字挿入部に、装飾された文字列を挿入して、当該テンプレートと文字列とを結合して電子メールを生成するので、文字列のフォントサイズ、色、フォントなどを利用者の嗜好に応じて装飾することが可能である。
【００１９】
例えば、フォントサイズを大きくしたり、色をカラフルにしたり、フォントを使い分けたりと、利用者の趣味嗜好にあわせて文字列を装飾することができる結果、利用者の利便性が向上することが可能であるとともに、利用者の囲い込みにも役立てることが可能である。
【００２０】
また、本発明によれば、記憶される複数のテンプレートのうち、利用者から入力された文字列から利用者の趣旨を判定し、記憶される複数のテンプレートのうち、判定された利用者の趣旨に一致する複数のテンプレートを利用者に提示し、提示された複数のテンプレートから文字列を挿入するテンプレートの選択を利用者から受け付けるので、利用者の利便性を向上させることが可能である。
【００２１】
例えば、「お祝い」、「あいさつ」、「お誘い」などの様々なジャンルのテンプレートを記憶するため、利用者により「誕生日おめでとう」という文字列が入力された場合に、「誕生日おめでとう」からジャンルが「お祝い」であると推測して、「お祝い」に該当するテンプレートを利用者に提示することができる結果、利用者の利便性を向上させることが可能である。
【００２２】
また、本発明によれば、記憶される複数のテンプレートのうち、利用者から入力された文字列を含まないテンプレートを選択し、記憶される複数のテンプレートのうち、選択されたテンプレートを利用者に提示し、提示された複数のテンプレートから文字列を挿入するテンプレートの選択を利用者から受け付けるので、利用者の利便性を向上させることが可能である。
【００２３】
例えば、利用者により「誕生日おめでとう」という文字列が入力された場合に、文字列「誕生日おめでとう」が文字列としてまたは画像として含まれたテンプレートを利用者が利用することにより、文字列が重複することになる。そのため、このような入力された文字列と重複するテンプレート以外を利用者に提示することにより、利用者の利便性が向上することが可能であるとともに、利用者の囲い込みにも役立てることが可能である。
【発明を実施するための最良の形態】
【００２４】
以下に添付図面を参照して、この発明に係る通信装置の実施例を詳細に説明する。なお、以下では、本実施例に係る通信装置（携帯電話）の概要および特徴、携帯電話の構成および処理の流れを順に説明し、最後に本実施例に対する種々の変形例を説明する。
【実施例１】
【００２５】
［携帯電話の概要および特徴］
まず最初に、図１を用いて、実施例１に係る携帯電話の概要および特徴を説明する。図１は、実施例１に係る携帯電話の概要と特徴を説明するための図である。この携帯電話（請求の範囲に記載の「通信装置」に対応する）は、音声通信やメール通信などを行うことのできるコンピュータ装置のことであり、具体的には、パーソナルコンピュータやワークステーション、家庭用ゲーム機、インターネットＴＶ、ＰＤＡ、あるいはＰＨＳの如き移動体通信端末などがこれに該当する。また、携帯電話は、インターネットに接続するインターネットブラウザや電子メールの送受信を行うこともできる。
【００２６】
このような構成において、この携帯電話は、上記したように、当該携帯電話を利用する利用者から入力された文字列と予め記憶するテンプレートとを結合した電子メールを送信することを概要とするものであり、特に、文字列とテンプレートとを結合した電子メールを簡単に再編集することが可能である点に主たる特徴がある。
【００２７】
この主たる特徴を具体的に説明すると、この携帯電話は、利用者によって入力された文字列が挿入される文字挿入部を備えた複数のテンプレートを記憶する。具体的には、携帯電話は、利用者によってメールの「本文」に入力された文字列「今日も一日頑張りましょう」や「明日１８：００でどうですか？」などを挿入する文字列挿入部を備えた、「挨拶」、「お祝い」、「お誘い」など様々なジャンルのカテゴリを網羅したテンプレートを記憶している。また、ここで記憶されるテンプレートとは、文字列と画像などから構成される予め作成されたＨＴＭＬ形式の画像データである。
【００２８】
そして、携帯電話は、記憶される複数のテンプレートから、文字列を挿入するテンプレートの選択を利用者から受け付ける（図１の（１）と（２）参照）。具体的に例を挙げると、携帯電話は、利用者からメール作成指示を受け付けると、図１の（１）に示すような「宛先」、「題名」、「本文」、「装飾（設定なし＝テンプレート未選択）」から構成されるメール作成画面を出力して、利用者から通常のメール作成を受け付ける。続いて、携帯電話は、図１の（１）に示す画面から「装飾」が利用者によって選択されると、記憶されるテンプレートを読み出して、図１の（２）に示す「テンプレート一覧」を表示出力し、利用者からテンプレートの選択を受け付ける。なお、ここでは、携帯電話は、「宛先＝taro@abc.jp」、「題名＝こんにちは」、「本文＝お久しぶりです。元気ですか？」が利用者より入力されているとする。なお、テンプレートが選択されると、「装飾」は「設定なし」から「設定あり」に変更される。
【００２９】
続いて、携帯電話は、利用者により選択されたテンプレートの文字挿入部に、利用者によって入力された文字列を挿入して、当該テンプレートと文字列とを結合させた電子メールを生成する（図１の（３）参照）。上記した例で具体的に説明すると、携帯電話は、図１の（２）に示した「テンプレート一覧」から「誕生日」が選択されると、図１の（１）で入力された「本文＝お久しぶりです。元気ですか？」をテンプレート「誕生日」の文字入力部に挿入して、本文とテンプレートを結合し、図１の（３）に示すＨＴＭＬメールを生成する。
【００３０】
その後、携帯電話は、結合して生成したＨＴＭＬメールの編集指示が利用者によって入力されると（図１の（４）参照）、「テンプレート一覧」を再度表示出力する（図１の（５）参照）。そして、携帯電話は、再度表示出力した「テンプレート一覧」から「ＨａｐｐｙＢｉｒｔｈｄａｙ」が利用者によって選択されると、「本文＝お久しぶりです。元気ですか？」をテンプレート「ＨａｐｐｙＢｉｒｔｈｄａｙ」の文字入力部に挿入して、本文とテンプレートを結合し、図１の（６）に示すＨＴＭＬメールを生成する。その後、携帯電話は、利用者によってメール送信指示が入力されると、作成したＨＴＭＬメールを宛先に送信する（図１の（７）参照）。なお、携帯電話は、本文の内容が編集される場合には、テンプレートを意識することなく、本文の修正を受け付けて、編集された本文をテンプレートの文字列挿入部に挿入する。
【００３１】
このように、実施例１に係る携帯電話は、一度、文字列と結合したＨＴＭＬメールを編集する場合に、作成したＨＴＭＬメールを直接編集する必要がなく、テンプレートのみを変更したり、文字列のみを変更したりすることでＨＴＭＬメールを編集することができる結果、上記した主たる特徴のごとく、文字列とテンプレートとを結合した電子メールを簡単に再編集することが可能である。
【００３２】
［携帯電話の構成］
次に、図２と図３とを用いて、図１に示した携帯電話の構成を説明する。図２は、実施例１に係る携帯電話の構成を示すブロック図であり、図３は、テンプレートと文字列との結合処理を説明するための画面表示例を示す図である。図２に示すように、この携帯電話１０は、通信制御Ｉ／Ｆ部１１と、入力受付部１２と、出力部１３と、記憶部２０と、制御部３０とから構成される。
【００３３】
通信制御Ｉ／Ｆ部１１は、他の携帯電話との間やインターネットなどでやり取りされる各種情報に関する通信を制御する。具体的に例を挙げれば、通信制御Ｉ／Ｆ部１１は、他の携帯電話やＩＰ電話などとの間における音声通信に関する各種情報を制御したり、後述する制御部３０によって接続されるインターネット通信やメール通信に関する各種情報を制御したりする。
【００３４】
入力受付部１２は、テンキーやマイクなどを備えて構成され、各種の情報の入力を受付ける。例えば、入力受付部１２は、携帯電話１０の所有者からメール作成指示やメール送信指示、通話指示などを受け付ける。そして、入力受付部１２は、所有者から各種操作指示を受け付けると、受け付けた操作指示を各種制御部に通知する。
【００３５】
出力部１３は、モニタ（若しくはディスプレイ、タッチパネル）やスピーカを備えて構成され、各種の情報を出力する。例えば、出力部１３は、メール作成画面、テンプレート選択画面を所有者に対してを表示出力する。
【００３６】
記憶部２０は、制御部３０による各種処理に必要なデータおよびプログラムを格納するとともに、特に本発明に密接に関連するものとしては、電話帳ＤＢ２１と、メールＤＢ２２と、テンプレートＤＢ２３とを備える。
【００３７】
電話帳ＤＢ２１は、通話接続先を示す電話番号やメールの送受信を行うメールアドレスを記憶する。具体的に例を挙げれば、電話帳ＤＢ２１は、『接続先の相手を示す「氏名」、通話処理を行う相手の「電話番号」、メールの送受信先を示す「メールアドレス」』として「特許太郎、０３−ＸＸＸ−ＸＸＸＸ、tokkyo＠a.com」などと記憶する。なお、ここで示した各種のデータやパラメータを含む情報については、特記する場合を除いて任意に変更することができる。
【００３８】
メールＤＢ２２は、送受信した電子メールを送受信した日付・送受信先に対応付けて記憶する。具体的に例を挙げれば、メールＤＢ２２は、受信したメールを保存する「受信メール」、送信したメールを保存する「送信済みメール」、破棄したメールを保存する「ゴミ箱」など、受信・送信・削除などに区分けして電子メールを記憶する。なお、ここで示した各種のデータやパラメータを含む情報については、特記する場合を除いて任意に変更することができる。
【００３９】
テンプレートＤＢ２３は、利用者によって入力された文字列が挿入される文字挿入部を備えた複数のテンプレートを記憶する。具体的に例を挙げれば、テンプレートＤＢ２３は、利用者によってメールの「本文」に入力された文字列「今日も一日頑張りましょう」や「明日１８：００でどうですか？」などを挿入する文字列挿入部を備えた、「挨拶」、「お祝い」、「お誘い」など様々なジャンルのカテゴリを網羅したテンプレートを記憶している。なお、ここで記憶されるテンプレートとは、文字列と画像などから構成される予め作成されたＨＴＭＬ形式の画像データである。
【００４０】
制御部３０は、ＯＳ（Operating  System）などの制御プログラム、各種の処理手順などを規定したプログラムおよび所要データを格納するための内部メモリを有するとともに、特に本発明に密接に関連するものとしては、通話処理部３１と、テンプレート選択受付部３２と、ブラウザ処理部３３と、ＨＴＭＬメール処理部３４と、メール送信部３５とを備え、これらによって種々の処理を実行する。
【００４１】
通話処理部３１は、他の電話装置との間における音声通信（通話処理）の接続制御を行う。具体的に例を挙げれば、通話処理部３１は、電話帳ＤＢ２１に記憶される電話番号を用いて、当該電話番号に対応する携帯電話やＩＰ電話などの電話装置に対して発信処理を行ったり、他の電話装置から着信処理を行ったりする。
【００４２】
テンプレート選択受付部３２は、テンプレートＤＢ２３により記憶される複数のテンプレートから、文字列を挿入するテンプレートの選択を入力受付部１２を介して利用者から受け付ける。具体的に例を挙げれば、テンプレート選択受付部３２は、利用者からメール作成指示が入力受付部１２により受け付けられると、図３の（１）に示すような「宛先」、「題名」、「本文」、「装飾」から構成されるメール作成画面を出力部１３に表示出力する。そして、テンプレート選択受付部３２は、図３の（２）に示す画面のように、「宛先」、「題名」、「本文」、「装飾」が利用者によって入力されて、「装飾」が利用者によってクリックされると、テンプレートＤＢ２３から記憶されるテンプレートを読み出して、図３の（３）に示す「テンプレート一覧」を出力部１３に表示出力し、利用者からテンプレートの選択を入力受付部１２を介して受け付ける。その後、テンプレート選択受付部３２は、結合して生成したＨＴＭＬメールの編集指示が利用者によって入力受付部１２に入力されると、「テンプレート一覧」を再度表示出力する。なお、テンプレート選択受付部３２は、請求の範囲に記載の「テンプレート選択手段」に対応する。
【００４３】
ブラウザ処理部３３は、インターネットに接続するブラウザの各種制御を行う。具体的に例を挙げれば、ブラウザ処理部３３は、所有者から入力されたインターネット接続操作指示が入力受付部１２によって受け付けられると、インターネット接続ブラウザを起動してインターネットに接続し、各種情報のダウンロードなどを行う。
【００４４】
ＨＴＭＬメール処理部３４は、テンプレート選択受付部３２により選択されたテンプレートの文字挿入部に、利用者によって入力された文字列を挿入して、当該テンプレートと文字列とを結合させたＨＴＭＬメールを生成する。上記した例で具体的に説明すると、ＨＴＭＬメール処理部３４は、図３の（３）に示した「テンプレート一覧」から「誕生日」が選択されると、図３の（２）で入力された「本文＝お久しぶりです。元気ですか？」をテンプレート「誕生日」の文字入力部に挿入して、本文とテンプレートを結合し、図３の（４）に示すＨＴＭＬメールを生成する。
【００４５】
その後、テンプレート選択受付部３２は、結合して生成したＨＴＭＬメールの編集指示が入力受付部１２を介して利用者から入力されると、「テンプレート一覧」を出力部１３に再度表示出力する。そして、ＨＴＭＬメール処理部３４は、再度表示出力した「テンプレート一覧」から「ＨａｐｐｙＢｉｒｔｈｄａｙ」が利用者によって選択されると、「本文＝お久しぶりです。元気ですか？」をテンプレート「ＨａｐｐｙＢｉｒｔｈｄａｙ」の文字入力部に挿入して、本文とテンプレートを結合し、図１の（５）に示すＨＴＭＬメールを生成する。なお、ＨＴＭＬメール処理部３４は、請求の範囲に記載の「メール生成手段」に対応する。
【００４６】
メール送信部３５は、宛先に通常のメールやＨＴＭＬメールを送信する。上記した例で具体的に説明すると、ＨＴＭＬメール処理部３４によってＨＴＭＬメールが生成されると、メール送信部３５は、図３の（６）に示すように、生成されたＨＴＭＬメールを表示する。そして、メール送信部３５は、図３の（６）の画面から利用者によって「送信する」がクリックされると、表示している生成されたＨＴＭＬメールを宛先に送信する。
【００４７】
［携帯電話による処理］
次に、図４を用いて、携帯電話による処理を説明する。図４は、実施例１に係る携帯電話におけるＨＴＭＬメール送信処理の流れを示すフローチャートである。
【００４８】
図４に示すように、メール作成指示が入力受付部１２によって受け付けられてメール作成処理が起動されると（ステップＳ４０１肯定）、テンプレート選択受付部３２は、「宛先」、「題名」、「本文」、「装飾」から構成されるメール作成画面を出力部１３に表示出力して、「宛先」、「題名」、「本文」の入力を利用者から受け付ける（ステップＳ４０２）。
【００４９】
続いて、出力部１３に表示出力されるメール作成画面から「装飾」が利用者によってクリックされると（ステップＳ４０３肯定）、テンプレート選択受付部３２は、テンプレートＤＢ２３に記憶されるテンプレートの一覧を出力部１３に表示出力する（ステップＳ４０４）。
【００５０】
そして、テンプレート選択受付部３２は、出力部１３に表示出力されたテンプレート一覧から任意のテンプレートの選択を入力受付部１２を介して受け付けて（ステップＳ４０５）、ＨＴＭＬメール処理部３４は、選択されたテンプレートと「本文」のテキスト文字列とを結合し（ステップＳ４０６）、結合したＨＴＭＬメールを出力部１３に表示出力する（ステップＳ４０７）。
【００５１】
その後、さらに「装飾」が利用者によってクリックされた場合（ステップＳ４０８肯定）、テンプレート選択受付部３２は、テンプレートＤＢ２３に記憶されるテンプレートの一覧を出力部１３に再度表示出力し、先ほど選択されたテンプレートとは別のテンプレートの選択を入力受付部１２を介して受け付けて（ステップＳ４１２）、ステップＳ４０６以降の処理を実行する。
【００５２】
一方、さらに「装飾」が利用者によってクリックされなかった場合（ステップＳ４０８否定）、ＨＴＭＬメール処理部３４は、テンプレートを確定して、「装飾」を「設定なし」から「設定あり」に変更する（ステップＳ４０９）。
【００５３】
その後、「送信ボタン」が利用者によってクリックされると（ステップＳ４１０肯定）、メール送信部３５は、作成されたＨＴＭＬメールを宛先に送信する（ステップＳ４１１）。
【００５４】
［実施例１による効果］
このように、実施例１によれば、利用者によって入力された文字列「本文」が挿入される文字挿入部を備えた複数のテンプレートを記憶し、テンプレートＤＢ２３により記憶される複数のテンプレートから、「本文」を挿入するテンプレートの選択を利用者から受け付け、選択されたテンプレートの文字挿入部に、利用者によって入力された「本文」を挿入して、当該テンプレートと「本文」とを結合させた電子メールを生成するので、「本文」とテンプレートとを結合した電子メールを簡単に再編集することが可能である。
【００５５】
例えば、「これらからもよろしく」という文字列と「誕生日おめでとう」というテンプレートとを結合した後に、「ＨａｐｐｙＢｉｒｔｈｄａｙ」のテンプレートに変更した場合でも、文字列「これからもよろしく」を変更したテンプレート「ＨａｐｐｙＢｉｒｔｈｄａｙ」に挿入して電子メールを作成することができる結果、一度、文字列と結合したＨＴＭＬメールを編集する場合に、作成した電子メールを直接編集する必要がなく、テンプレートのみを変更したり、文字列のみを変更したりすることで結合された電子メールを編集することができるので、文字列とテンプレートとを結合した電子メールを簡単に再編集することが可能であり、利用者の負担も軽減することが可能である。
【００５６】
また、実施例１によれば、利用者によって入力された「本文」が挿入される文字挿入部を備えたＨＴＭＬ形式で生成される複数のテンプレートを記憶し、選択されたテンプレートの文字挿入部に、利用者によって入力された「本文」を挿入して、当該テンプレートと文字列とを結合させたＨＴＭＬメールを生成するので、「本文」とテンプレートとを結合したＨＴＭＬメールを簡単に再編集することが可能である。また、特別な手法を用いたメールではなく、ＨＴＭＬメールを用いることにより、送信先の通信装置の種別を意識する必要がない結果、利用者の負担を軽減することが可能である。
【実施例２】
【００５７】
さて、これまで本発明の実施例について説明したが、本発明は上述した実施例以外にも、種々の異なる形態にて実施されてよいものである。そこで、以下に示すように、（１）メール形式、（２）送信先、（３）文字列の装飾、（４）テンプレートの表示、（５）システム構成等、（６）プログラムにそれぞれ区分けして異なる実施例を説明する。
【００５８】
（１）メール形式
例えば、実施例１では、結合して生成されるメールの形式がＨＴＭＬであった場合の例について説明したが、本発明はこれに限定されるものではなく、例えば、ＸＭＬ（eXtensible  Markup  Language）やＸＨＴＭＬ（eXtensible  HyperText  Markup  Language）などのマークアップ言語など、様々な形式を生成することができる。
【００５９】
（２）送信先
また、実施例１では、送信先「宛先」が一つである場合について図示して説明したが、本発明はこれに限定されるものではなく、「宛先」が複数であってもよく、また、ＣＣやＢＣＣなど通常のメールに利用される「宛先」に対して作成したＨＴＭＬメールを一斉に送信することができる。
【００６０】
（３）文字列の装飾
また、実施例１では、「本文」に入力された文字列（テキスト）を選択されたテンプレートに挿入して結合する場合について説明したが、本発明はこれに限定されるものではなく、「本文」に入力された文字列（テキスト）の大きさ、色、形を装飾して、選択されたテンプレートに挿入して結合してもよい。例えば、フォントサイズを大きくしたり、色をカラフルにしたり、フォントを使い分けたりと、利用者の趣味嗜好にあわせて文字列を装飾することができる結果、利用者の利便性が向上することが可能であるとともに、利用者の囲い込みにも役立てることが可能である。
【００６１】
（４）テンプレートの表示
また、実施例１では、テンプレートＤＢ２３に記憶されるテンプレート全てを表示出力して利用者からの選択を受け付ける場合について説明したが、本発明はこれに限定されるものではなく、例えば、「本文」に入力された文字列から利用者の趣旨を判定し、判定された利用者の趣旨に一致する複数のテンプレートのみを利用者に提示（表示出力）したり、「本文」に入力された文字列を含まないテンプレートをのみを利用者に提示したりすることもできる。
【００６２】
このようにすることで、例えば、「お祝い」、「あいさつ」、「お誘い」などの様々なジャンルのテンプレートを記憶するため、利用者により「誕生日おめでとう」という文字列が入力された場合に、「誕生日おめでとう」からジャンルが「お祝い」であると推測して、「お祝い」に該当するテンプレートを利用者に提示することができる結果、利用者の利便性を向上させることが可能である。また、例えば、利用者により「誕生日おめでとう」という文字列が入力された場合に、文字列「誕生日おめでとう」が文字列としてまたは画像として含まれたテンプレートを利用者が利用すること、文字列が重複することになる。そのため、このような入力された文字列と重複するテンプレート以外を利用者に提示することにより、利用者の利便性が向上することが可能であるとともに、利用者の囲い込みにも役立てることが可能である。
【００６３】
（５）システム構成等
また、本実施例において説明した各処理のうち、手動的におこなわれるものとして説明した処理（例えば、「本文」の入力受付など）の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００６４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合（例えば、テンプレート選択受付部３２とＨＴＭＬメール処理部３４とを統合するなど）して構成することができる。
【００６５】
（６）プログラム
ところで、上記の実施例で説明した各種の処理は、あらかじめ用意されたプログラムをパーソナルコンピュータやワークステーションなどのコンピュータシステムで実行することによって実現することができる。そこで、以下では、上記の実施例と同様の機能を有するプログラムを実行するコンピュータシステムを他の実施例として説明する。
【００６６】
図５は、ＨＴＭＬメール送信プログラムを実行するコンピュータシステムの例を示す図である。図５に示すように、コンピュータシステム１００は、ＲＡＭ１０１と、ＨＤＤ１０２と、ＲＯＭ１０３と、ＣＰＵ１０４とから構成される。ここで、ＲＯＭ１０３には、上記の実施例と同様の機能を発揮するプログラム、つまり、図５に示すように、通話処理プログラム１０３ａと、テンプレート選択受付プログラム１０３ｂと、ブラウザ処理プログラム１０３ｃと、ＨＴＭＬメール処理プログラム１０３ｄ、メール送信プログラム１０３ｅとがあらかじめ記憶されている。
【００６７】
そして、ＣＰＵ１０４には、これらのプログラム１０３ａ〜１０３ｅを読み出して実行することで、図５に示すように、通話処理プロセス１０４ａと、テンプレート選択受付プロセス１０４ｂと、ブラウザ処理プロセス１０４ｃと、ＨＴＭＬメール処理プロセス１０４ｄ、メール送信プロセス１０４ｅとなる。なお、通話処理プロセス１０４ａは、図２に示した、通話処理部３１に対応し、同様に、テンプレート選択受付プロセス１０４ｂは、テンプレート選択受付部３２に対応し、ブラウザ処理プロセス１０４ｃは、ブラウザ処理部３３に対応し、ＨＴＭＬメール処理プロセス１０４ｄは、ＨＴＭＬメール処理部３４に対応し、メール送信プロセス１０４ｅは、メール送信部３５に対応する。
【００６８】
また、ＨＤＤ１０２には、通話接続先を示す電話番号やメールの送受信を行うメールアドレスを記憶する電話帳テーブル１０２ａと、送受信した電子メールを送受信した日付・送受信先に対応付けて記憶するメールテーブル１０２ｂと、利用者によって入力された文字列が挿入される文字挿入部を備えた複数のテンプレートを記憶するテンプレートテーブル１０２ｃとが設けられる。なお、電話帳テーブル１０２ａは、図２に示した、電話帳ＤＢ２１に対応し、メールテーブル１０２ｂは、メールＤＢ２２に対応し、テンプレートテーブル１０２ｃは、テンプレートＤＢ２３に対応する。
【００６９】
ところで、上記したプログラム１０３ａ〜１０３ｅは、必ずしもＲＯＭ１０３に記憶させておく必要はなく、例えば、コンピュータシステム１００に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）などの「固定用の物理媒体」、さらに、公衆回線、インターネット、ＬＡＮ、ＷＡＮなどを介してコンピュータシステム１００に接続される「他のコンピュータシステム」に記憶させておき、コンピュータシステム１００がこれらからプログラムを読み出して実行するようにしてもよい。
【産業上の利用可能性】
【００７０】
以上のように、本発明に係る通信装置は、通信装置を利用する利用者から入力された文字列と予め記憶するテンプレートとを結合した電子メールを送信することに有用であり、特に、文字列とテンプレートとを結合した電子メールを簡単に再編集することに適する。
【図面の簡単な説明】
【００７１】
【図１】図１は、実施例１に係る携帯電話の概要と特徴を説明するための図である。
【図２】図２は、実施例１に係る携帯電話の構成を示すブロック図である。
【図３】図３は、テンプレートと文字列との結合処理を説明するための画面表示例を示す図である。
【図４】図４は、実施例１に係る携帯電話におけるＨＴＭＬメール送信処理の流れを示すフローチャートである。
【図５】図５は、ＨＴＭＬメール送信プログラムを実行するコンピュータシステムの例を示す図である。
【符号の説明】
【００７２】
１０  携帯電話
１１  通信制御Ｉ／Ｆ部
１２  入力受付部
１３  出力部
２０  記憶部
２１  電話帳ＤＢ
２２  メールＤＢ
２３  テンプレートＤＢ
３０  制御部
３１  通話処理部
３２  テンプレート選択受付部
３３  ブラウザ処理部
３４  ＨＴＭＬメール処理部
３５  メール送信部
１００  コンピュータシステム
１０１  ＲＡＭ
１０２  ＨＤＤ
１０２ａ  電話帳テーブル
１０２ｂ  メールテーブル
１０２ｃ  テンプレートテーブル
１０３  ＲＯＭ
１０３ａ  通話処理プログラム
１０３ｂ  テンプレート選択受付プログラム
１０３ｃ  ブラウザ処理プログラム
１０３ｄ  ＨＴＭＬメール処理プログラム
１０３ｅ  メール送信プログラム
１０４  ＣＰＵ
１０４ａ  通話処理プロセス
１０４ｂ  テンプレート選択受付プロセス
１０４ｃ  ブラウザ処理プロセス
１０４ｄ  ＨＴＭＬメール処理プロセス
１０４ｅ  メール送信プロセス
【国際調査報告】
2009001470.tif 000008
2009001470.tif 000009
2009001470.tif 000010
2009001470.tif 000011